(57)【特許請求の範囲】
【請求項１】
本体部と、該本体部に設けられた表示部と、前記本体部に取り外し可能に装着可能なキャビネットとを有する電子機器であって、
前記キャビネットの色を検出する色検出部と、
該色検出部の検出結果に基づいて前記表示部に表示する表示色を変更する制御を行なう表示制御部と、を有し、
前記表示色は、前記表示部に表示されるメニュー表示の色であることを特徴とする電子機器。
【請求項２】
前記表示制御部は、前記色検出部により検出された前記キャビネットの色と同じ表示色に変更する制御を行なうことを特徴とする請求項１に記載の電子機器。
【請求項３】
前記色検出部は、前記キャビネットの装着時に前記キャビネットの色を検出する色検出処理を行なうことを特徴とする請求項１又は２に記載の電子機器。
【請求項４】
前記色検出処理は、前記本体部と前記キャビネットとが装着された場合に接続される前記本体部側の第１の配線と色毎に異なる前記キャビネット側の第２の配線とが接続されることによる電気的特性の変化に基づいて行なわれることを特徴とする請求項３に記載の電子機器。
【請求項５】
前記色検出処理は、前記キャビネットの色毎に異なる位置に設けられるスイッチ又は前記キャビネットの色毎に異なる位置に設けられ前記本体部に設けられたスイッチを押圧するスイッチ押圧部のいずれかによる前記スイッチのスイッチング動作に基づいて行なわれることを特徴とする請求項３に記載の電子機器。
【請求項６】
前記色検出部はカメラを有しており、前記色検出処理は該カメラによる前記キャビネットの撮影データに基づいて行なわれることを特徴とする請求項３に記載の電子機器。
【請求項７】
前記色検出部は、前記本体部に前記キャビネットが装着された際に当接する面に設けられることを特徴とする請求項１から６までのいずれか１項に記載の電子機器。
【発明の詳細な説明】
【技術分野】
【０００１】
本発明は電子機器に関し、特に、表示画面の色を変更可能な電子機器に関する。
【背景技術】
【０００２】
従来から、電子機器などの色を変更することができる技術が提案されていた。例えば、電子機器のキャビネットにおいて、外面の一部または全体に取り剥がし可能なシール状のシートを単層または複数層貼着しておき、ユーザや販売店で外観を簡単に変えられるようにする技術がある（特許文献１参照）。これにより、販売店は、色に関する制約を排除することができ、在庫が少なくて済む上に、購入者の好みの色がないことによる販売のチャンスを失うという問題が少なくなる。また、ユーザは、その日の気分などのより。小型電子機器の色を変更して楽しむことができる。
【特許文献１】特開平１１−２７７７５号公報
【発明の開示】
【発明が解決しようとする課題】
【０００３】
ところで、表示画面を有する電子機器において、キャビネットの色だけを変更した場合には、キャビネットの色に関連する外観と表示画面のメニュー色と関連する内部のメニューの色とがマッチしなくなることから、ユーザの好みに合わなくなるという問題がある。
【０００４】
本発明は、異なる色のキャビネットを取り付けた場合に、キャビネットの色とメニューの色をマッチングさせることを目的とする。
【課題を解決するための手段】
【０００５】
本発明によれば、キャビネットの色を変更した場合に、自動的に表示画面のメニュー色も変更する。例えば、予め本体とＣＰＵの電源間に数パターン、途中で途切れている配線を用意し、キャビネット色によって異なるパターンでキャビネット側に本体の配線が接続されるような導体を用意し接続し、ＣＰＵ側で何の色が装着されたか判断することによりメニューを変える。また、本体側に数個のスイッチを用意し、キャビネットに突起物を用意することでも可能である。
【発明の効果】
【０００６】
本発明によれば、異なる色のキャビネットを取り付けた場合に、キャビネットの色と表示部の表示色、特にメニューの色をマッチングさせることができる。従って、外観がよく、メニュー画面が見やすくなるという利点がある。また、ユーザの好みに合わせることも可能である。さらに、キャビネットにより隠れた部分に設けられた配線の接続又はスイッチ動作又はカメラによる撮影により色判定を行なうため、機器の外観を損ねずキャビネット色判別を行なうことができる。
【発明を実施するための最良の形態】
【０００７】
以下、本発明の一実施の形態による電子機器について図面を参照しながら説明を行なう。図１は、本実施の形態による電子機器の一部構成例を示す図であり、例えば、液晶テレビジョン受像機（以下、「液晶ＴＶ装置」と称する。）である。図１に示すように、本実施の形態による液晶ＴＶ装置Ａは、液晶パネルからなる表示部１ａを含む本体部１と、本体部１に取り外し可能に設けられ表示部（液晶パネル）１ａの外枠を形成するキャビネット部３と、を有している。キャビネット部３は、外枠部分以外に本体部１又は表示部（液晶パネル）１ａの裏側又は上部又は下部、側部などを構成していても良い。要するに、ユーザが表示画面を見る場合に、この表示画面とともに目に入る領域を含んでいれば良い。以下、外枠を例にして説明を行なう。
【０００８】
さらに、本実施の形態による液晶ＴＶ装置Ａにおいては、例えば液晶パネル１ａのキャビネット部３側にキャビネット検出部５（図１では、スイッチ５ａ、５ｂ）が設けられている。キャビネット検出部５は、
１）液晶パネル１ａに装着されているキャビネットがどの色のキャビネットであるか、
２）液晶パネル１ａに装着されているキャビネット部３が更新されたか否か、
のうち少なくともいずれかについて、例えば表示を制御する表示制御部を含むか或いは表示制御部と関連付けされているＣＰＵと協働して検出する機能を有する。
【０００９】
例えば、上記１）の機能を有する場合には、現在装着されているキャビネット部３の色をキャビネット検出部５において検出し、例えば赤色のキャビネット部３が装着されている場合には、表示部（液晶パネル）１ａの表示画面に表示されるメニューの色を外枠が赤色であった場合にマッチングする色、例えば同じ赤色になるように自動制御することができる。
【００１０】
また、上記２）の機能を有する場合には、キャビネットが変更になった旨をユーザに知らせ、例えば赤色のキャビネット部３が装着された場合には、ユーザが手動で外枠の色を選択できるように、選択を促す信号（例えば、ランプの点滅又は音声による報知）を出力してユーザの入力を促すことができる。
【００１１】
上記１）及び２）の機能を有する場合には、キャビネット部３が交換された旨をユーザに報知するとともに、その色に基づいてユーザインターフェイスを自動的に変更するか否かをユーザに選択させるための信号を出力させることも可能である。また、キャビネット検出部５による検出処理を、２）により検知した後ある時間だけ行い、ユーザインターフェイスが変更されると自動的に検出処理が終了するように構成しても良い。
以下、検出処理のいくつかの具体的な実施例についてより詳細に説明する。
【実施例１】
【００１２】
本実施例による検出処理は、例えば液晶パネル１ａとキャビネット部３との装着時に作動する複数のスイッチを設け、複数のスイッチのうちの何れのスイッチがオンされたか又はその組み合わせに基づいて、何色のキャビネット部３が装着されたかを検出する処理である。図２は、液晶パネル１ａの上部を示す図であり、キャビネット部３の上部の内面に当接する箇所に例えば２つのボタン式のオン/オフスイッチ５ａ、５ｂが設けられている。このオン/オフスイッチ５ａ、５ｂは、図３に示すように押し込まれるとオンになり（５ｂ）、押されていない場合にはオフになる（５ａ）。
【００１３】
一方、図４に示すように、上記オン/オフスイッチ５ａ、５ｂに対応するキャビネット部３の位置には、（ａ）から（ｄ）までに示すように、４種類の状態がキャビネットの色別に構成されている。図４（ａ）に示す状態は、本体部１に設けられている２つのオン/オフスイッチ５ａ、５ｂに対応するキャビネット部３の位置に、それぞれスイッチ５ａを押圧しないようにスイッチを収容する収容部７ａと、スイッチ５ｂを押す平坦部７ｂとが形成されている。図４（ｂ）は、スイッチ５ａのみを押すように構成されており、図４（ｃ）は、いずれのスイッチ５ａ・５ｂも押さないようにそれぞれ窪んでいるスイッチの収容部７ａ、７ｂが設けられている構成になっており、図４（ｄ）は両方のスイッチ５ａ・５ｂを押すように本体部の５ａ・５ｂが平坦な形状（平坦部）に構成になっている。このように２つのスイッチに関する押された状態と押されていない状態との４通りの状態を形成する図４（ａ）から（ｄ）までの構成により、４通りの色を機械的に識別することができる。
【００１４】
図５（ａ）は、オン/オフスイッチ５ａ、５ｂに関する、より具体的な構成を示す図である。例えば電界効果型トランジスタからなるスイッチ１１ａ、１１ｂのそれぞれの電圧端子のうちの一方（ドレイン端子）を抵抗Ｒ１、Ｒ２をそれぞれ介して電源電圧Ｖｃｃに接続し、他方（ソース端子）をＣＰＵ１７に接続する。制御端子（ゲート端子）１５ａ、１５ｂが実際には図４に示すスイッチが押されているかいないかに対応しており、スイッチの押圧が２つのスイッチ１１ａ、１１ｂのオン/オフ制御に対応する。
【００１５】
図５（ｂ）は、１１ａ、１１ｂの値が“０”（Ｌｏｗ）又は“１”（Ｈｉｇｈ）のいずれの組み合わせであるかによって、ＣＰＵ１７が検知する色ａ〜ｄまでが変化する様子を示す図である。図５（ｂ）に示すように、両者が“０”の場合にはＣＰＵ１７は状態ａを検出する。それぞれが“０”、“１”の場合には状態ｂを検出し、それぞれが“１”、“０”の場合には状態ｃを検出し、両方が“１”の場合には、状態ｄを検出する。これらの状態ａ〜ｄまでは、それぞれキャビネット部３の色に対応させておけば、何色のキャビネット部３が装着されたかに関する情報をＣＰＵ１７が得ることができる。ＣＰＵ１７が得た情報に基づいて、例えばＬＣＤなどのメニュー表示部１９の色合いを、表示制御部１８を介して変更する。メニュー表示部１９は、コンテンツ自体の表示部を兼ねているのが一般的である。例えば、赤色のキャビネットが装着された旨の情報をＣＰＵ１７が検出すると、表示制御部に例えば同じ赤色を基調としたメニュー表示をＬＣＤ１９に表示させるための駆動信号を出力するように指令する。キャビネット部３に相応しいメニュー色を予め設定しておけば、キャビネット部３の色変更に応じて表示画面のメニュー表示をキャビネット部３と合うように変更することが可能である。
【００１６】
この際、店頭で購入者の好みのキャビネット色を聞いた場合に、店頭の販売員は単に好みの色のキャビネットを本体に装着すれば良く、一々、メニュー表示を変更する手間が省ける。また、色別に着せ替えが可能な数種類のキャビネットを付属して販売する場合にも、ユーザは一々キャビネットを交換した際にメニュー表示を変更する手間を省くことができる。
【００１７】
尚、キャビネットの交換をＣＰＵ１７が検出した場合に、メニュー表示の優先順位が変更されるようにしても良い。ユーザがメニュー表示を変更する場合でも、優先順位の高い順から選択することができるようにすることで、手間が省けるという利点がある。
【実施例２】
【００１８】
図６は、本実施例によるキャビネット色の検出処理の原理を示す図である。図６に示すように、液晶パネル１ａに設けられるキャビネット検出部は、電源電圧ＶｃｃとＣＰＵ側の節点との間に、並列に設けられた４本の配線を有している。これらの４本の配線は、配線毎にそれぞれ値の異なる抵抗Ｒ１１、Ｒ１２、Ｒ１３、Ｒ１４が設けられるとともに、符号２１ａ〜２１ｄまでに示される切り欠けを有している。一方、キャビネット５には、キャビネット５液晶パネルに取り付けた際に、上記切りかけ２１ａから２１ｄのいずれかを接続する配線２３ａ〜２３ｄまでのいずれかが設けられている。これにより、装着するキャビネット５に設けられた配線２３ａ〜２３ｄまでのいずれかにより、切り欠け２１ａ〜２１ｄまでのいずれかを跨いで配線がＶｃｃ側とＣＰＵ側とを接続し、接続された抵抗の抵抗値に基づく電圧をＣＰＵ１７が検出することにより、どの色のキャビネットが装着されたかに関して検知することができる。
【実施例３】
【００１９】
図７は、本実施例によるキャビネット色の検出処理の原理を示す図である。図７に示すように、液晶パネル１ａに設けられるキャビネット検出部は、例えばＣＣＤを撮像素子とするデジタルカメラであり、液晶ＴＶに元からカメラが設けられていればそれを兼用して利用することもできる。デジタルカメラ３１は、キャビネット３を装着する際にその表面３５を撮像することができるように配置することが可能である。カメラ３１の撮像素子により撮像された色に基づいて、ＣＰＵがキャビネット３の色を判定する。判定方法としては、図７（ｃ）に示すように画像に基づいて画像からの反射光の波長λと強度Ｉとの関係を調べ、強度Ｉのピーク値における波長に基づいて色を決定することが可能である。或いは、図７（ｂ）に示すように、カメラ３１により撮像できるキャビネット３の表面のある位置にバーコードなどのコード３５ａを付しておき、コード３５ａをカメラにより撮影し、撮影画像に基づいてコード認識を行なうことによりコード３５ａに記載されている色に関する判定を行なうことも可能である。
【００２０】
尚、上記配線、スイッチ又はカメラは、本体部又表示部とキャビネットとが装着された際に当接する面にそれぞれ設けられていることが好ましい。これにより、新たに設けた部材はキャビネットに覆われるため、外観を損ねることがない。
【００２１】
上記各実施例に記載された方法により色判定を行なった後に、その色によく似合うメニュー表示を行なうことにより、枠と表示とを外観的にマッチングさせることができる。
【００２２】
尚、上記実施例においては、メニュー表示とキャビネット枠の色をマッチングさせる技術について説明したが、表示画面に表示させるコンテンツに色調やバックグラウンドの色などを枠とマッチングさせるようにすることも可能である。また、ここでは液晶ＴＶを例にして説明したが、その他、携帯電話、ミュジックプレーヤーなどの様々な電子機器に本発明を適用することができる。
【産業上の利用可能性】
【００２３】
本発明は、表示部を有する電子機器に適用することができる。
【図面の簡単な説明】
【００２４】
【図１】本実施の形態による電子機器の一部構成例を示す図であり、例えば、液晶テレビジョン受像機の構成例を示す図である。
【図２】液晶パネルの上部を示す図であり、キャビネット部の上部の内面に当接する箇所に例えば２つのボタン式のオン/オフスイッチが設けられている様子を示す図である。
【図３】図２に示すボタンを操作した様子を示す図である。
【図４】図４（ａ）から（ｄ）までは、２つのスイッチとこれらのスイッチを押す状態か押さない状態かに関する本体部の４種類の形状（状態）がキャビネットの色別に異なるように構成されている様子を示す図である。
【図５】図５（ａ）は、オン/オフスイッチに関するより具体的な構成を示す図である。図５（ｂ）は、スイッチの値とＣＰＵに出力される値との組み合わせを示す図である。
【図６】実施例２によるキャビネット色の検出処理の原理を示す図である。
【図７】実施例３によるキャビネット色の検出処理の原理を示す図である。
【符号の説明】
【００２５】
Ａ…液晶ＴＶ装置、１…本体部、１ａ…表示部（液晶パネル）、３…キャビネット部、５…キャビネット検出部。
【図１】
0004668726.tif 000002
【図２】
0004668726.tif 000003
【図３】
0004668726.tif 000004
【図４】
0004668726.tif 000005
【図５】
0004668726.tif 000006
【図６】
0004668726.tif 000007
【図７】
0004668726.tif 000008